(57)【要約】【課題】 印刷機を改造することなく、印刷現場で印刷見本が必要になった時に、速やかに印刷見本を入手できる色見台を提供する。【解決手段】  色見台１０には、デジタルプルーフ１１ａを表示する出力手段としてディスプレイ１１が備えられ、製版部門で作成されたデジタルプルーフ１１ａはディスプレイ１１で表示される。色見台１０にディスプレイ１１を設けることで、印刷現場で印刷見本が必要になった時に、速やかに印刷見本を入手できる。また、ディスプレイ１１でデジタルプルーフを表示する際は、印刷機のプリセット情報も同時に出力することで、色合わせ作業時間を短縮する。【選択図】      図２
2006001155.tif 000002
【特許請求の範囲】
【請求項１】
デジタルプルーフのデジタル情報を記憶するデジタルプルーフ記憶手段と、前記記憶手段に記憶されたデジタルプルーフの出力装置を備えたことを特徴とする色見台。
【請求項２】
請求項１に記載の色見台であって、前記出力装置は紙媒体に前記デジタルプルーフを出力する装置であることを特徴とする色見台。
【請求項３】
請求項１に記載の色見台であって、前記出力装置は前記デジタルプルーフを表示する装置であることを特徴とする色見台。
【請求項４】
請求項１から請求項３のいずれかひとつに記載の色見台であって、デジタルプルーフを出力する前記出力装置は、デジタルプルーフと共に、印刷機をプリセットするためのプリセット情報を出力する機能を備えていることを特徴とする色見台。
【請求項５】
請求項４に記載の色見台であって、前記プリセット情報には、印刷版の絵柄面積率情報とインキ量を調整する情報が含まれることを特徴する色見台。
【請求項６】
請求項４または請求項５に記載の色見台であって、前記プリセット情報は、印刷機ローラ温度、印刷速度、テンション、ドライヤー温度、水舟温度、カットオフ値およびパウダー量を含み、前記色見台は出力するプリセット情報を選択できる機能を設けたことを特徴とする色見台。
【請求項７】
請求項１から請求項６のいずれかひとつに記載の色見台であって、前記色見台には印刷物を撮像する撮像手段を備え、前記出力装置は、前記デジタルプルーフと前記撮像手段で撮像した画像とを同時に出力する機能を備えていることを特徴とする色見台。
【請求項８】
請求項７に記載の色見台であって、前記撮像手段は、スキャナーであることを特徴する色見台。
【請求項９】
請求項７に記載の色見台であって、前記撮像手段はＣＣＤカメラであることを特徴とする色見台。
【発明の詳細な説明】
【技術分野】
【０００１】
本発明は、印刷作業現場の作業者が、印刷見本と印刷中の印刷物と差異を確認する際に使用する作業台（すなわち、色見台）に関し、更に詳しくは印刷見本を出力する装置を備えた色見台に関する。
【背景技術】
【０００２】
通常、オフセット印刷を行う際は、印刷機の作業者は色合わせ作業と呼ばれる作業を行なう。色合わせ作業とは、要求される印刷物の色調と実際に印刷された印刷物の色調との間に差異が無くなるまで印刷機の調整をする作業である。このため、色合わせ作業時には印刷物の基準となる印刷見本が必要になる。
【０００３】
従来、色合わせ作業時に使用される印刷見本は、平台校正機と呼ばれる印刷機で印刷されることが一般的であったが、近年のデジタル技術の急速な発展に伴い、デジタルプルーフ(Digital Proof)と呼ばれれる印刷見本が普及しつつある。デジタルプルーフとはデジタル情報から直接印刷見本を作成するものの総称である。デジタルプルーフから直接印刷見本を作成する方式には、大型プリンタでデジタルプルーフを出力する方式、高精度モニターにてデジタルプルーフを表示する方式などがあるが、いずれの方式も、デジタル情報で印刷見本を管理するため、従来の平台校正機に比べて安定した出力結果が得られるメリットがある。
【０００４】
デジタルプルーフでは印刷見本の作成時間が大幅に短縮されるが、印刷見本がデジタルプルーフであったとしても、または、平台校正機で印刷された従来の印刷物であっても、印刷見本は印刷部門とは別の製版部門で作成され、刷版部門で使用された後、印刷部門に届けられていた。そして、届けられた印刷見本は、色見台と呼ばれる印刷機の排出側に設置され、印刷物の評価を行うために使用される専用の作業台に載せられ、印刷機で印刷された印刷物と印刷見本とは比較されていた。
【０００５】
前述のように、印刷見本は他部門で作成された後に印刷部門に届けられるため、印刷部門に届けれる間に印刷見本の紛失、破損等が発生し、印刷部門で印刷見本の再作成を製版部門に要請する場合があり、製版部門においては作業負荷が増えるばかりか、印刷部門では印刷作業が中断するロスが発生する問題があった。
【０００６】
印刷見本がなくとも印刷物を原稿に合わせることができる装置としては、デジタルプルーフのデジタル情報からＣＴＰ（Computer to-Plate)装置によって印刷機上で印刷版を作成し、色見台と呼ばれる作業台の上で印刷物の画像データを撮像し、前記画像データとデジタルプルーフのデジタル情報を比較し、比較結果に基いて印刷機を自動調整（例えば、インキ量）する発明が開示されている（例えば、特許文献１）。
【特許文献１】特開２００１−３５３５８２号公報
【発明の開示】
【発明が解決しようとする課題】
【０００７】
しかしながら、前述した従来の技術においては、印刷機は特許文献１のようにＣＴＰ装置を必ず備えていなければならず、ＣＴＰ装置を備えていない印刷機では前述の発明を実施することができない問題がある。加えて、印刷機は、デジタルプルーフのデジタル情報と印刷物の画像データとの比較結果に基いて印刷機を自動調整する機構（例えば、インキ量の自動調整）も備えていなければならない。
【０００８】
印刷機本体を改造することは莫大な費用がかかるため、印刷機本体を特別な改造（例えば、ＣＴＰ装置の設置）をすることなく、印刷見本の紛失、破損等によって、印刷見本の再作成が必要な場合でも、印刷部門で印刷見本が速やかに入手できる発明が強く望まれている。更には、印刷見本から速やかに色合わせ作業が行なえることも望まれている。
【課題を解決するための手段】
【０００９】
上記課題を鑑みて、本発明の第１の発明は、デジタルプルーフのデジタル情報を記憶するデジタルプルーフ記憶手段と、前記記憶手段に記憶されたデジタルプルーフの出力装置を備えたことを特徴とする色見台である。更に第２の発明は、第１の発明に記載の色見台であって、前記出力装置は紙媒体に前記デジタルプルーフを出力する装置であることを特徴とする色見台である。更に第３の発明は，第１の発明に記載の色見台であって、前記出力装置は前記デジタルプルーフを表示する装置であることを特徴とする色見台である。ここで、前記デジタルプルーフを表示する装置とは、ディスプレイ（液晶ディスプレイ、プラズマディスプレイ、有機ＥＬディスプレイ等）、プロジェクタ等の高画質で前記デジタルプルーフを表示する装置を意味する。
【００１０】
第１の発明から第３の発明によれば、色見台にデジタルプルーフを出力する出力装置を設けることで、印刷見本の紛失、破損等によって再作成が余儀なくされる場合でも、すみやかに印刷部門で印刷見本を作成することができ、印刷見本の再作成に伴う製版部門における作業負荷が減り、また印刷部門では印刷作業が中断するロスが減る。また、本発明を実施する際は、色見台の変更だけで済み、印刷機本体を改造する必要はない。
【００１１】
また、第４の発明は、第１の発明から第３の発明いずれかひとつに記載の色見台であって、デジタルプルーフを出力する前記出力装置は、デジタルプルーフと共に、印刷機をプリセットするためのプリセット情報を出力する機能を備えていることを特徴とする色見台である。更に、第５の発明は、第４の発明に記載の色見台であって、前記プリセット情報には、印刷版の絵柄面積率情報とインキ量を調整する情報が含まれることを特徴する色見台である。更に、第６の発明は、第４の発明または第５の発明に記載の色見台であって、前記プリセット情報は、印刷機ローラ温度、印刷速度、テンション、ドライヤー温度、水舟温度、カットオフ値およびパウダー量を含み、前記色見台は出力するプリセット情報を選択できる機能を設けたことを特徴とする色見台である。
【００１２】
第４の発明から第６の発明によれば、前記デジタルプルーフを出力する際に、前記プリセット情報も同時に出力することで、印刷開始時の色合わせ作業時間を短縮することができる。
【００１３】
加えて、第７の発明は、第１の発明から第６の発明いずれかひとつに記載の色見台であって、前記色見台には印刷物を撮像する撮像手段を備え、前記出力装置は、前記デジタルプルーフと前記撮像手段で撮像した画像とを同時に出力する機能を備えていることを特徴とする色見台である。更に、第８の発明は、第７の発明に記載の色見台であって、前記撮像手段は、スキャナーであることを特徴する色見台である。更に、第９の発明は、第７の発明に記載の色見台であって、前記撮像手段はＣＣＤカメラであることを特徴とする色見台である。
【００１４】
第７の発明から第９の発明によれば、前記色見台が前記撮像手段を備え、前記出力装置が前記撮像手段で撮像した画像と前記デジタルプルーフとを同時に出力することで、作業者はデジタルプルーフと印刷物との比較が容易になる。
【発明の効果】
【００１５】
上述した本発明によれば、色見台がデジタルプルーフの出力装置を備えることで、印刷見本の紛失、破損等によって再作成が必要な場合でも、印刷部門では印刷見本を速やかに入手できる。また、前記出力装置が、デジタルプルーフと共に、印刷機をプリセットするためのプリセット情報を出力する機能を備えていることで、作業者は色合わせ作業を容易に行なうことができる。
【発明を実施するための最良の形態】
【００１６】
〔実施の形態１〕
本発明に係わる実施の形態１は、色見台に備えられた出力装置を前記デジタルプルーフを表示する装置として、ディスプレイにした時の実施の形態である。以下、本発明に係わる実施の形態１について、図を参照しながら詳細に説明する。
【００１７】
（全体の説明）
図１は、実施の形態１の色見台と印刷機等との接続状況を説明するための図である。図１に示したように、色見台１０は、ディスプレイ１１で出力されるデジタルプルーフのデジタル情報（以下、デジタルプルーフ情報と記す）を記憶する記憶手段として色見台サーバ１０ａを備え、また色見台１０は、オフセット印刷機２０（以下、印刷機と略す）と接続されている。印刷機２０の作業者は、色見台１０を操作することで、色見台サーバ１０ａに記憶されたデジタルプルーフ情報をディスプレイ１１にデジタルプルーフとして表示することができる。また、色見台１０には印刷機２０を遠隔操作できる印刷機操作盤１２が備えられ、作業者は印刷機操作盤１２を使用して印刷機２０を遠隔操作できる。
【００１８】
色見台１０に備えられた色見台サーバ１０ａは、印刷部門に設置されている印刷部門サーバ３０とネットワークで接続されている。印刷部門サーバ３０は、製版部門に設置された製版サーバ３２および生産管理部門に設置された生産管理サーバ３１とそれぞれネットワークで接続されている。
【００１９】
製版部門で作成されたデジタルプルーフ情報と、生産管理部門で作成された予定組表情報とは、それぞれの部門から印刷部門サーバ３０に送信され、デジタルプルーフ情報は予定組表情報と関連付けられて印刷部門サーバ３０内に記憶される。前記予定組情報には、印刷する品目名、印刷する順序、印刷機２０をプリセットするためのプリセット情報等が含まれる。
【００２０】
印刷部門で印刷を行なう際は、作業者は色見台１０で印刷する品目を指定し、指定された品目を示すデータは色見台サーバ１０ａを経由して印刷部門サーバ３０に送信される。印刷部門サーバ３０は記憶している情報の中から、色見台１０で指定された品目に対応する予定組情報とデジタルプルーフ情報とを色見台サーバ１０ａに送信する。
【００２１】
色見台サーバ１０ａは、印刷部門サーバ３０から受信したデジタルプルーフ情報と予定組情報とを一時的に記憶し、色見台１０からデジタルプルーフを出力する指示があると、色見台サーバ１０ａに記憶しているデジタルプルーフ情報と予定組情報に含まれるプリセット情報とを少なくとも色見台１０に送信する。色見台１０に送信されたデジタルプルーフ情報はデジタルプルーフとしてディスプレイ１１に表示され、プリセット情報は、デジタルプルーフを再現する情報としてディスプレイ１１に、デジタルプルーフと共に表示される。
【００２２】
他のサーバから色見台サーバ１０ａに予定組情報およびデジタルプルーフ情報を受け渡しするには、上述したネットワークを利用したデータ通信が、前記情報の紛失がなく好適である。ただし、前記情報の受け渡しに、情報記憶媒体を用いても構わない。
【００２３】
印刷機２０の作業者は、色見台１０のディスプレイに表示されたプリセット情報に従い印刷機２０をプリセットした後に印刷を行なう。印刷機２０で印刷された印刷物は色見台１０に載せられ、作業者は、印刷物とディスプレイに表示されたデジタルプルーフとを比較し、デジタルプルーフと印刷物の差異が無くなるように、色見台１０に備えられた印刷機操作盤で印刷機２０を調整する。
【００２４】
このように、デジタルプルーフは、製版部門からデジタルプルーフ情報としてネットワーク経由で色見台１０に伝送されるため、印刷見本の再作成が必要な場合でも、作業者が製版部門に印刷見本を取りに行く必要がなく、作業者の作業不可を軽減できる。また、デジタルプルーフは何度でもディスプレイ１１で表示できるため、印刷中の印刷見本の破損がなくなる。加えて、色見台１０でデジタルプルーフと共にプリセット情報を表示することで、作業者がデジタルプルーフを印刷物で再現するために行なう色合わせ作業を軽減できる。
【００２５】
（色見台）
ここから、実施の形態１に係わる色見台１０について詳細に説明する。図２は、色見台１０の斜視図である。色見台１０には、デジタルプルーフ１１ａを表示するディスプレイ１１と、印刷物９０を載せるテーブル１３と、印刷機２０を遠隔で制御するために用いられ標示部を備えた印刷機操作盤１２と、色の偏りのない光源１４（例えば、ＩＳＯ３６６４で規定された５０００ケルビンの蛍光灯等）と、テーブル１３に載せられた印刷物９０を撮像する撮像手段としてスキャナ１５とが備えられている。印刷機２０の作業者は、テーブル１３に印刷物９０を載せ、ディスプレイ１１で表示されるデジタルプルーフ１１ａと印刷物９０とを比較し、印刷機操作盤１３で印刷機２０を遠隔操作し、デジタルプルーフ１１ａと印刷物９０との差異を修正する。
【００２６】
ここで、ディスプレイ１１とは、デジタルプルーフ１１ａを実寸大で色再現性が良く表示でき、ディスプレイ１１から発する光がテーブル１３上の印刷物に影響を与えないディスプレイ１１が望ましく、具体的にはハイビジョン対応の液晶モニター・プラズマディスプレイが好適である。また、ディスプレイ１１のサイズは、印刷機２０で印刷できる最大用紙サイズまで対応できることが望ましい。
【００２７】
図３は、色見台１０に備えられたディスプレイ１１で表示される情報を説明するための図である。図３に示したように、色見台１０に備えれたディスプレイ１１に表示される画像は、デジタルプルーフ１１ａを表示するデジタルプルーフ表示部１１０と、デジタルプルーフ情報から印刷機２０の各インキキーごとに算出した絵柄面積率を表示する絵柄面積率表示部１１１と、前記絵柄面積率に対応した各インキキーの開度を表示するインキキー開度表示部１１２と、インキキーの開度および絵柄面積率以外の印刷機２０をプリセットするための情報を表示するプリセット情報表示部１１３とから構成されている。
【００２８】
通常は、色見台１０に備わっている印刷機操作盤１２としては、印刷機ローラ温度、印刷速度、テンション、ドライヤー温度、水舟温度、カットオフ値（断裁位置）、パウダー量などを操作するスイッチ等が設置されているが、図３においては、実施の形態１の色見台１０の説明を分かりやすくするために、印刷機操作盤１２としてインキキー操作部１２０のみを記載している。
【００２９】
ディスプレイ１１のデジタルプルーフ表示部１１０には、色見台サーバ１０ａに記憶されたデジタルプルーフ情報が画像として表示される。デジタルプルーフ１１ａを表示するディスプレイ１１には、デジタルプルーフ１１ａを拡大縮小する機能や、スキャナ１５でスキャニングされたテーブル１３上の印刷物９０の画像を表示させる機能が備わっている。
【００３０】
図４は、印刷機２０で印刷した印刷物を色見台１０でスキャニングした画像と、デジタルプルーフを並べて表示した例である。図４に示したように、同じ画質（例えば、ｄｐｉ,
dot per inchが同じ）で、印刷物９０の撮像画像９０ａとデジタルプルーフ１１ａとを並べてディスプレイ１１で表示させることで、作業者は印刷物９０とデジタルプルーフ１１ａとを同じ条件で比較でき、色合わせ作業が容易に行なえ、必要とあらば、色見台１０で色合わせの判断を自動で行なうこともできる。
【００３１】
また、作業者は、印刷開始前に、色見台１０に備えれたディスプレイ１１の絵柄面積率表示部１１１、インキキー開度表示部１１２およびプリセット情報表示部１１３から印刷機２０をプリセットするプリセット情報を取得し、取得したプリセット情報に従い、色見台１０に備えられた印刷機操作盤１２で印刷機２０をプリセットする。なお、色見台１０には、印刷機ローラ温度、印刷速度、テンション、ドライヤー温度、水舟温度、カットオフ値およびパウダー量の中からプリセット情報表示部１１３に表示させる情報を、作業者が選択できるボタン１８が備わっている。
【００３２】
図５は、インキーキーのプリセットを簡単に説明するための図である。作業者が、色見台１０に備えられたインキキー操作部１２０にて、インキキー開度表示部１１２および絵柄面積率表示部１１１のプリセット情報にそれぞれ基きインキキーの開度を操作する。
【００３３】
ディスプレイ１１のインキキー開度表示部に表示される数字は、インキキーとインキローラ間の隙間が無いときインキキーの位置を０％とし、インキキーとインキローラ間の最大の隙間が生じるときのインキきーの位置を１００％としたとき、現時点のインキキーの位置をパーセント表示で示した値である。
【００３４】
作業者が、色見台１０に備えられたインキキー操作部１２０で図５（ａ）に示した印刷機２０のユニットに備えられたインキキー２１を操作すると、インキキー２１が回動する。図５（ｂ）に示したように、インキキー２１が回動すると、インキキー２１とインキローラ２２間の隙間が変化して、インキローラ２２に供給されるインキ量が変動する。作業者が、絵柄面積率表示部１１１で表示される絵柄面積率を参考にしながら、インキキー操作部１２０でインキキーの開度をインキキー開度表示部１１２で表示される値に調整することで、印刷を開始する前に絵柄面積率に対応した適切なインキ量がインキローラ２２に供給される。
【００３５】
絵柄面積率とインキ量が大幅に異なると（例えば、絵柄面積率が小さい場合にインキキー開度が大きい場合）、印刷開始時の色合わせ作業に時間を要し、色合わせ作業に要する用紙も多くなってしまう。よって、ディスプレイ１１にデジタルプルーフ１１ａと共にプリセット情報を表示することで、印刷開始時の色合わせ作業の時間を短縮でき、色合わせ作業に要する用紙も削減できる。
【００３６】
また図２においては、印刷機２０を遠隔で制御するために用いられ標示部を備えた印刷機操作部は色見台１０に組み込まれていたが、色見台１０と印刷機操作盤１２は個別に設置されていてもよい。
【００３７】
〔実施の形態２〕
実施の形態２は、色見台に備えられた出力装置を紙媒体に出力する装置として、プリンターにした時の実施の形態である。図６は、実施の形態２の色見台２１０を説明するための斜視図である。図６に示したように、実施の形態２の色見台２１０には、デジタルプルーフ２１１ａを出力するプリンター２１１が備えられ、色見台２１０からの指示によって、デジタルプルーフが紙媒体にプリントされる。プリントされたデジタルプルーフ２１１ａは、色見台２０の添付版２１６に貼られ、印刷機で実際に印刷された印刷物９０とデジタルプルーフ２１１ａが比較される。ここで、色見台に備えられたデジタルプルーフ２１１ａを出力するプリンター２１１としては、超高画質（１４４０ｄｐｉ程度）の大判インクジョットプリンターが好適である。
【００３８】
また、図６の色見台２１０には、印刷物９０を撮像する撮像手段としてＣＣＤカメラ２１５が備えられいる。なお、色見台２１０に備えられた２１２から２１４の各要素は、図１の色見台１０に備えられた１２から１４の各要素と同じである。
【図面の簡単な説明】
【００３９】
【図１】実施形態１の色見台のネットワーク接続図を説明するための図。
【図２】実施形態１の色見台の斜視図。
【図３】実施形態１の色見台の正面図。
【図４】インキキーの説明図。
【図５】実施形態１の色見台において、印刷機操作部を分けたときの説明図。
【図６】実施形態２の色見台の斜視図。
【符号の説明】
【００４０】
１０    色見台
１１    ディスプレイ
１１０  デジタルプルーフ表示部
１１１  絵柄面積率表示部
１１２  インキキー開度表示部
１１３  プリセット情報表示部
１１ａ  デジタルプルーフ
１２    印刷機操作盤
１２０  インキキー操作部
１３    テーブル
１４    光源
１５    スキャナ
２１０  色見台
２１１  プリンター
２１５  ＣＣＤカメラ
【図１】
2006001155.tif 000003
【図２】
2006001155.tif 000004
【図３】
2006001155.tif 000005
【図４】
2006001155.tif 000006
【図５】
2006001155.tif 000007
【図６】
2006001155.tif 000008